(57)【要約】【課題】機械的な刺激以外の刺激を頭皮に与えることができる頭皮ケア装置を提供する。【解決手段】複数の施術突起２４ａ，２４ｂを有し駆動源の駆動により動作する施術子２０を備え、施術突起２４ａ，２４ｂを頭皮に接触させて刺激を与える頭皮ケア装置において、施術子２０（施術突起２４ａ，２４ｂ）を冷却するためのペルチェ素子３１，３２を備える。【選択図】図２
2011172632.tif 000002
【特許請求の範囲】
【請求項１】
複数の施術突起を有し駆動源の駆動により動作する施術子を備え、前記施術突起を頭皮に接触させて刺激を与える頭皮ケア装置において、
前記施術子を冷却するための冷却源を備えたことを特徴とする頭皮ケア装置。
【請求項２】
請求項１に記載の頭皮ケア装置において、
前記冷却源は、前記施術突起を冷却するように構成されたことを特徴とする頭皮ケア装置。
【請求項３】
請求項２に記載の頭皮ケア装置において、
前記施術突起を加熱するための加熱源を備えたことを特徴とする頭皮ケア装置。
【請求項４】
請求項３に記載の頭皮ケア装置において、
前記冷却源及び前記加熱源は、ペルチェ素子からなることを特徴とする頭皮ケア装置。
【請求項５】
請求項４に記載の頭皮ケア装置において、
前記ペルチェ素子は、一対の前記施術突起の間に設けられ、該ペルチェ素子の吸熱面にて前記一対の施術突起の一方を冷却するとともに、発熱面にて他方を加熱するように構成されたことを特徴とする頭皮ケア装置。
【請求項６】
請求項２〜５のいずれか１項に記載の頭皮ケア装置において、
前記施術突起は、金属を含む材質からなることを特徴とする頭皮ケア装置。
【発明の詳細な説明】
【技術分野】
【０００１】
本発明は、施術突起を頭皮に接触させて刺激を与える頭皮ケア装置に関するものである。
【背景技術】
【０００２】
従来、例えば特許文献１の頭皮ケア装置では、施術突起を有する施術子が駆動源の駆動により動作するように構成されており、動作する施術子の施術突起を頭皮に接触させて機械的な刺激を与えることで、血流促進等の頭皮のケア効果が得られるようになっている。
【先行技術文献】
【特許文献】
【０００３】
【特許文献１】特開２００７−２２９１５９号公報
【発明の概要】
【発明が解決しようとする課題】
【０００４】
ところで、上記のような頭皮ケア装置では、頭皮に与える刺激は、駆動源により動作する施術突起による機械的な刺激のみであり、頭皮ケア効果の向上の点において更なる改善の余地があった。
【０００５】
本発明は、上記課題を解決するためになされたものであって、その目的は、機械的な刺激以外の刺激を頭皮に与えることができる頭皮ケア装置を提供することにある。
【課題を解決するための手段】
【０００６】
上記課題を解決するために、請求項１に記載の発明は、複数の施術突起を有し駆動源の駆動により動作する施術子を備え、前記施術突起を頭皮に接触させて刺激を与える頭皮ケア装置において、前記施術子を冷却するための冷却源を備えたことを特徴とする。
【０００７】
この発明では、冷却源により冷却された施術子にて頭皮のケア（マッサージや洗髪等）を行うことで、機械的な刺激に加えて冷たい刺激を頭皮に与えることができ、その結果、頭皮ケア効果の向上に寄与できる。
【０００８】
請求項２に記載の発明は、請求項１に記載の頭皮ケア装置において、前記冷却源は、前記施術突起を冷却するように構成されたことを特徴とする。
この発明では、施術子において頭皮と接触する部位である施術突起が冷却されるため、冷たい刺激を効果的に頭皮に与えることが可能となる。
【０００９】
請求項３に記載の発明は、請求項２に記載の頭皮ケア装置において、前記施術突起を加熱するための加熱源を備えたことを特徴とする。
この発明では、施術突起を冷却する冷却源と加熱する加熱源を備えるため、施術突起による機械的な刺激に加え、冷たい刺激と温かい刺激とを頭皮に与えて血流を促進させることができ、その結果、頭皮ケア効果の向上に寄与できる。
【００１０】
請求項４に記載の発明は、請求項３に記載の頭皮ケア装置において、前記冷却源及び前記加熱源は、ペルチェ素子からなることを特徴とする。
この発明では、ペルチェ素子は、供給する電流の向きを変えることで加熱源にも冷却源にもなるため、施術突起に対する冷却及び加熱の制御を容易に行うことができる。
【００１１】
請求項５に記載の発明は、請求項４に記載の頭皮ケア装置において、前記ペルチェ素子は、一対の前記施術突起の間に設けられ、該ペルチェ素子の吸熱面にて前記一対の施術突起の一方を冷却するとともに、発熱面にて他方を加熱するように構成されたことを特徴とする。
【００１２】
この発明では、１つのペルチェ素子で一対の施術突起に対する冷却及び加熱が可能となるため、ペルチェ素子の個数を少なく抑えることが可能となる。
請求項６に記載の発明は、請求項２〜５のいずれか１項に記載の頭皮ケア装置において、前記施術突起は、金属を含む材質からなることを特徴とする。
【００１３】
この発明では、施術突起が熱伝導性に優れる金属を含むため、施術突起を効率的に冷却する（又は加熱する）ことが可能となる。
【発明の効果】
【００１４】
従って、上記記載の発明によれば、機械的な刺激以外の刺激を頭皮に与えることができる。
【図面の簡単な説明】
【００１５】
【図１】本実施形態の頭皮ケア装置の概略構成図。
【図２】施術子を示す概略構成図。
【図３】頭皮ケア装置の電気的な構成を示すブロック図。
【図４】別例の施術子を示す概略構成図。
【発明を実施するための形態】
【００１６】
以下、本発明を具体化した一実施形態を図面に従って説明する。
図１に示すように、本実施形態の頭皮ケア装置１は、把持可能な本体ハウジング１０と、その本体ハウジング１０の上部に構成される略円柱状の施術子２０とからなる。本体ハウジング１０の側面には使用者が頭皮ケア装置１のオンオフ操作を行う電源スイッチ１１が設けられている。
【００１７】
本体ハウジング１０の内部には、モータ１２が収容されるとともに、そのモータ１２は本体ハウジング１０に収容された制御部１３と電気的に接続されている。制御部１３は、本体ハウジング１０内に収容された電源部１４及び前記電源スイッチ１１と電気的に接続されている。
【００１８】
モータ１２のモータ軸１２ａの先端には、駆動ギヤ１２ｂが取り付けられている。一方、本体ハウジング１０に設けられたベアリング１５により回転可能に支持された第１回転軸１６ａには、その基端部に第１ギヤ１６ｂが取り付けられるとともに、その第１ギヤ１６ｂはモータ１２の駆動ギヤ１２ｂと噛合されている。
【００１９】
第１ギヤ１６ｂと一体回転する第１回転軸１６ａの先端部は、本体ハウジング１０から突出するとともに、その突出部分には円盤状の回転体１７が固定されている。回転体１７は、その中心部に第１回転軸１６ａが一体回転可能に固定されるとともに、回転体１７の上面に固定された支持部１８には、前記施術子２０が軸受１８ａを介して回転可能に支持されている。この施術子２０の回転軸２０ａは、第１回転軸１６ａに対して平行、且つその第１回転軸１６ａの中心からずれた位置に設定されているため、施術子２０は、回転体１７の回転に基づいて第１回転軸１６ａ周りを周回するように動作し、また頭皮に当接させた時の施術子２０がその周回動作で連れ回りしないようになっている。
【００２０】
施術子２０は、支持部１８に対して回転可能に支持された略円柱状のハウジング２１と、そのハウジング２１に支持された施術部材２２とを有する。施術部材２２は、図２に示すように、施術子２０のハウジング２１内に保持された平板状のベース部２３と、そのベース部２３から突出形成された複数の施術突起２４ａ，２４ｂとからなる。この施術部材２２の材質としては、エラストマにアルミ等の金属粒子を含有させたものが用いられているため、施術部材２２の熱伝導率が向上されるようになっている。
【００２１】
各施術突起２４ａ，２４ｂは、ハウジング２１の上面（施術面２１ａ）に形成された複数の貫通孔２１ｂからハウジング２１外に突出するように構成されている。尚、各施術突起２４ａ，２４ｂは、先端が断面円弧状に湾曲された略円錐状をなすとともに、ハウジング２１の施術面２１ａに対して垂直方向に突出するようになっている。
【００２２】
このような施術子２０のハウジング２１内において、施術部材２２のベース部２３の裏面（施術突起２４ａ，２４ｂとは反側の面）には、第１ペルチェ素子３１及び第２ペルチェ素子３２が固定されている。この第１及び第２ペルチェ素子３１，３２は、左側の施術突起２４ａ及び右側の施術突起２４ｂにそれぞれ対応するものであって、左側の施術突起２４ａ及び右側の施術突起２４ｂの基端部位にそれぞれ当接されている。また、第１及び第２ペルチェ素子３１，３２はそれぞれ、導線３３にて制御部１３と電気的に接続されている（図３参照）。
【００２３】
第１及び第２ペルチェ素子３１，３２は、電流によって吸熱・発熱を制御できる半導体素子であり、それぞれ対応する施術突起２４ａ，２４ｂを冷却又は加熱する。詳しくは、各ペルチェ素子３１，３２は、２枚の金属が張り合わされた構造をしており、その接合面に電流が供給されると、施術突起２４ａ，２４ｂ側の第１の面３１ａ，３２ａ及びその反対側の第２の面３１ｂ，３２ｂのいずれかで吸熱が生じるとともに、他方の面で発熱が生じる（一方の面から他面へと熱量が移動する）。そして、第１の面３１ａ，３２ａが吸熱面となるか発熱面となるかは、各ペルチェ素子３１，３２に供給する電流の向きによるため、各ペルチェ素子３１，３２に供給する電流の向きを制御することで、各ペルチェ素子３１，３２の施術突起２４ａ，２４ｂに対する冷却と加熱を制御可能となっている。つまり、第１及び第２ペルチェ素子３１，３２は、供給する電流の向きによって加熱源にも冷却源にもなるため、施術突起２４ａ，２４ｂに対する冷却及び加熱の制御を容易に行うことができるようになっている。
【００２４】
このような頭皮ケア装置１において、電源スイッチ１１が使用者によってオン操作されると、制御部１３はその電源スイッチ１１からのオン操作信号の入力に基づいて、電源部１４からモータ１２を回転駆動させるための電力をモータ１２に供給する。そして、モータ１２の駆動に基づき、施術子２０は第１回転軸１６ａ周りを周回するように動作し、この施術子２０の施術突起２４ａ，２４ｂが頭皮と接触されることで、施術突起２４ａ，２４ｂの先端の動きに合わせて頭皮が動かされる。このようにして、施術突起２４ａにより頭皮に機械的な刺激を与えることができるようになっている。
【００２５】
また、制御部１３は、電源スイッチ１１からのオン操作信号の入力に基づいて、電源部１４からの電力を各ペルチェ素子３１，３２に供給する。このとき、制御部１３は、例えば各ペルチェ素子３１，３２の第１の面３１ａ，３２ａを吸熱面とすべく（即ち、各ペルチェ素子３１，３２を冷却源とすべく）、各ペルチェ素子３１，３２に電流を供給する。それにより、各施術突起２４ａ，２４ｂは各ペルチェ素子３１，３２にて冷却され、その施術突起２４ａ，２４ｂにて機械的な刺激及び冷たい刺激を頭皮に与えることが可能となっている。
【００２６】
また、制御部１３は、本体ハウジング１０に設けられた図示しない操作部の操作に基づき、例えばペルチェ素子３１，３２の一方を冷却源、他方を加熱源とすべく、各ペルチェ素子３１，３２に電流を供給する。これにより、施術突起２４ａ，２４ｂの一方が冷却され、他方が加熱されるようになっている。また、制御部１３は、前記操作部の操作に基づき第１及び第２ペルチェ素子３１，３２の両方を加熱源とし、施術突起２４ａ，２４ｂの両方が第１及び第２ペルチェ素子３１，３２にてそれぞれ加熱されるように制御してもよい。このように、施術突起２４ａ，２４ｂへの冷却と加熱が制御可能であるため、使用者の好みに応じた頭皮ケアが可能となっている。
【００２７】
次に、本実施形態の特徴的な作用効果を記載する。
（１）複数の施術突起２４ａ，２４ｂを有しモータ１２の駆動により動作する施術子２０を備え、施術突起２４ａ，２４ｂを頭皮に接触させて刺激を与える頭皮ケア装置１において、施術子２０を冷却するためのペルチェ素子３１，３２を備える。このため、ペルチェ素子３１，３２により冷却された施術子２０にて頭皮のケア（マッサージや洗髪等）を行うことで、機械的な刺激に加えて冷たい刺激を頭皮に与えることができ、その結果、頭皮ケア効果の向上に寄与できる。
【００２８】
（２）ペルチェ素子３１，３２は、施術子２０において頭皮と接触する部位である施術突起２４ａ，２４ｂを冷却するように構成されるため、冷たい刺激を効果的に頭皮に与えることが可能となる。
【００２９】
（３）複数の施術突起２４ａ，２４ｂは、ペルチェ素子３１，３２により冷却及び加熱されるように構成される。これにより、施術突起２４ａ，２４ｂによる機械的な刺激に加え、冷たい刺激と温かい刺激とを頭皮に与えて血流を促進させることができ、その結果、頭皮ケア効果の向上に寄与できる。また、加熱された施術突起２４ａ，２４ｂにて頭皮を温めた後に、冷却された施術突起２４ａ，２４ｂにて頭皮を冷やすと、頭皮が引き締められてより高いケア効果を得ることができる。
【００３０】
（４）冷却源及び加熱源は、供給する電流の向きを変えることで加熱源にも冷却源にもなるペルチェ素子３１，３２からなるため、施術突起２４ａ，２４ｂに対する冷却及び加熱の制御を容易に行うことができる。
【００３１】
（５）施術突起２４ａ，２４ｂは、熱伝導性に優れる金属を含む材質からなるため、施術突起２４ａ，２４ｂを効率的に冷却する（又は加熱する）ことが可能となる。
尚、本発明の実施形態は、以下のように変更してもよい。
【００３２】
・上記実施形態では、施術突起２４ａ，２４ｂのそれぞれに対応してペルチェ素子３１，３２が２つ設けられたが、特にこれに限定されるものではない。例えば、図４に示す例では、ペルチェ素子４０は、一対の施術突起２４ａ，２４ｂの間に１つ設けられ、そのペルチェ素子４０の吸熱面にて施術突起２４ａ，２４ｂの一方を冷却するとともに、発熱面にて他方を加熱するように構成されている。詳しくは、ペルチェ素子４０は、左側の施術突起２４ａの基端のベース部２３ａと右側の施術突起２４ｂの基端のベース部２３ｂとの間に設けられ、ペルチェ素子４０の第１の面４０ａ及び第２の面４０ｂはそれぞれベース部２３ａ，２３ｂと接触している。ペルチェ素子４０は、制御部１３の制御により電流を供給されると、第１の面４０ａからベース部２３ａを介して施術突起２４ａを冷却（又は加熱）する一方、第２の面４０ｂからベース部２３ｂを介して施術突起２４ｂを加熱（又は冷却）する。この第１及び第２の面４０ａ，４０ｂの冷却及び加熱は、上記実施形態と同様に、供給する電流の向きにより変化する。この構成によれば、１つのペルチェ素子４０で一対の施術突起２４ａ，２４ｂに対する冷却及び加熱が可能となるため、冷却源及び加熱源として設けるペルチェ素子の個数を少なく抑えることが可能となる。
【００３３】
・上記実施形態では、冷却源及び加熱源をペルチェ素子３１，３２としたが、これに特に限定されるものではなく、ペルチェ素子３１，３２以外の冷却源及び加熱源としてもよい。
【００３４】
・上記実施形態では、加熱源（ペルチェ素子３１，３２）を備えたが、これ以外に例えば、加熱源を設けずに施術突起２４ａ，２４ｂの冷却だけをする冷却源を備えてもよい。
・上記実施形態では、ペルチェ素子３１，３２が施術子２０の施術突起２４ａ，２４ｂを冷却する構成としたが、これに特に限定されるものではなく、施術子２０における施術突起２４ａ，２４ｂ以外の部位（例えば、施術面２１ａ）を冷却する構成としてもよい。
【００３５】
・上記実施形態では、特に言及していないが、施術突起２４ａ，２４ｂの数は２つ設けられたが、１つ又は３つ以上設けてもよい。
・上記実施形態において、施術子２０の数は単数でも複数でもよい。
【００３６】
・上記実施形態では、施術部材２２の材質は、エラストマにアルミ等の金属粒子を含有させたものとしたが、特にこれに限定されるものではなく、例えば、エラストマにアルミ以外の鉄や銅を含有させたものとしてもよい。
【００３７】
・上記実施形態では、各施術突起２４ａ，２４ｂはベース部２３により繋がって構成されたが、特に限定されるものではなく、例えば、施術突起２４ａ，２４ｂをそれぞれ個別の部品としてもよい。
【符号の説明】
【００３８】
１…頭皮ケア装置、１２…駆動源としてのモータ、２０…施術子、２４ａ，２４ｂ…施術突起、３１，３２，４０…冷却源及び加熱源としてのペルチェ素子、４０ａ…吸熱面及び発熱面としての第１の面、４０ｂ…吸熱面及び発熱面としての第２の面。
【図１】
2011172632.tif 000003
【図２】
2011172632.tif 000004
【図３】
2011172632.tif 000005
【図４】
2011172632.tif 000006